(57)【特許請求の範囲】
【請求項１】
便鉢部と、前記便鉢部の上側内周部に周方向に沿って形成されるリム導水路と、前記便鉢部の上端縁部から外側に広がるように設けられるリム部と、を有する便器本体と、
前記便鉢部の後方にて前記便器本体の上面部に取り付けられる機能部品と、を備え、
前記上面部は、該上面部の他の部分より下側に落ち込むように形成される切欠部を有し、
前記機能部品は、前記切欠部上において前記リム部の上面に対して下側に一部が位置するように配置され、前記切欠部上から前記便鉢部内に一部がはみ出るように設けられ、そのはみ出し部の底面に前記リム導水路の上面となる導水路形成面が設けられることを特徴とする水洗大便器。
【請求項２】
前記はみ出し部の底面には前記導水路形成面の前方にて下方に延び出る延出面が形成されることを特徴とする請求項１に記載の水洗大便器。
【請求項３】
前記便鉢部における前記リム導水路の上面と前記導水路形成面とが面一となるように設けられることを特徴とする請求項１または２に記載の水洗大便器。
【請求項４】
前記機能部品のはみ出し部の底面には、該機能部品内から前記リム導水路に捨て水を排出するための排水出口が形成されることを特徴とする請求項１から３のいずれかに記載の水洗大便器。
【請求項５】
前記便器本体は、洗浄水供給装置から供給される洗浄水が通る通水路と、前記通水路を通る洗浄水を前記便鉢部内に吐水する吐水口と、を有し、
前記機能部品のはみだし部の底面には、該機能部品内から前記通水路に捨て水を排出するための排水出口が形成されることを特徴とする請求項１から３のいずれかに記載の水洗大便器。
【発明の詳細な説明】
【技術分野】
【０００１】
本発明は、水洗大便器に関する。
【背景技術】
【０００２】
水洗大便器には、局部洗浄ユニット等の種々の機器をユニット化した機能部品を備え付けることがある。機能部品は、一般的には、前面に開口部が設けられるケーシングと、ケーシングの開口部から進退可能な局部洗浄ノズルと、開口部を開閉するシャッタとを有する。
【０００３】
機能部品は、通常、便鉢部を有する便器本体の後部にて便器本体の上面部に取り付けられる（特許文献１参照）。このように機能部品を便器本体に取り付けると、便器本体の後部において、リム部に対する機能部品の高さが高くなり、見栄えに悪影響を及ぼしかねない。この対策として、特許文献１では、便器本体の後部にて上面部に凹溝を設け、その凹溝内に機能部品の一部を収め、リム部に対する機能部品の高さを抑えている。
【先行技術文献】
【特許文献】
【０００４】
【特許文献１】特許第５２５７８４６号
【発明の概要】
【発明が解決しようとする課題】
【０００５】
しかしながら、特許文献１では、便鉢部の上側内周部にリム導水路が形成され、そのリム導水路の一部をシャッタの外側面により形成している。よって、リム導水路に沿って流れる洗浄水がシャッタと凹溝の間から流入し、開口部からケーシング内に漏水する恐れがある。
【０００６】
本発明は、このような課題に鑑みてなされ、その目的は、リム部に対する機能部品の高さを抑えつつ、機能部品内への漏水を抑え易い水洗大便器を提供することにある。
【課題を解決するための手段】
【０００７】
上記課題を解決するために、本発明のある態様の水洗大便器は、便鉢部と、便鉢部の上側内周部に周方向に沿って形成されるリム導水路と、便鉢部の上端縁部から外側に広がるように設けられるリム部と、を有する便器本体と、便鉢部の後方にて便器本体の上面部に取り付けられる機能部品と、を備え、上面部は、上面部の他の部分より下側に落ち込むように形成される切欠部を有し、機能部品は、切欠部上においてリム部の上面に対して下側に一部が位置するように配置され、切欠部上から便鉢部内に一部がはみ出るように設けられ、そのはみ出し部の底面にリム導水路の上面となる導水路形成面が設けられることを特徴とする。
この態様によれば、機能部品内の内部機器の一部をリム部の上面に対して下側に位置するように配置でき、リム部に対する内部機器の高さを抑え、ひいては、リム部に対する機能部品の高さを抑えられる。また、機能部品のケーシングに設けられる開口部が導水路形成面より前方に位置することになり、機能部品の開口部を開閉するシャッタにより導水路形成面を形成するよりも、開口部からケーシング内への漏水を抑え易くなる。
【０００８】
前述の態様において、はみ出し部の底面には導水路形成面の前方にて下方に延び出る延出面が形成されてもよい。
この態様によれば、リム導水路を洗浄水が流れるとき、飛沫の前方への飛散が延出面により遮られ、その広い範囲への飛散を抑えられる。
【０００９】
前述の態様において、便鉢部におけるリム導水路の上面と導水路形成面とが面一となるように設けられてもよい。
この態様によれば、リム導水路の上面と導水路形成面の間で凹凸が生じ難くなる。よって、リム導水路を流れる洗浄水がリム導水路の上面と導水路形成面の間の凹凸により抵抗を受けずに淀みなく流れ易くなる。
【００１０】
前述の態様において、機能部品のはみ出し部の底面には、機能部品内からリム導水路に捨て水を排出するための排水出口が形成されてもよい。
この態様によれば、捨て水がリム導水路に着水したときに生じる飛沫の飛散を機能部品により遮り易くなり、捨て水を便鉢部の汚物受け部に排出するよりも、飛沫の広い範囲への飛散を抑えられる。
【００１１】
前述の態様において、便器本体は、洗浄水供給装置から供給される洗浄水が通る通水路と、通水路を通る洗浄水を前記便鉢部内に吐水する吐水口と、を有し、機能部品のはみだし部の底面には、機能部品内から通水路に捨て水を排出するための排水出口が形成されてもよい。
この態様によれば、捨て水が通水路に着水したときに生じる飛沫が便鉢部内に飛沫し難くなり、リム導水路に捨て水を排出するよりも、飛沫の広い範囲への飛散を抑えられる。
【発明の効果】
【００１２】
本発明によれば、便鉢部に対する機能部品の高さを抑えつつ、機能部品内への漏水を抑え易い水洗大便器を提供できる。
【図面の簡単な説明】
【００１３】
【図１】第１実施形態に係る水洗大便器の側面部分断面図である。
【図２】第１実施形態に係る便器本体から機能部品を取り外した状態を示す斜視図である。
【図３】第１実施形態に係る便器本体の平面断面図である。
【図４】図１の部分拡大図である。
【図５】第１実施形態に係る便器本体に取り付けられる機能部品のケースカバーを取り外した状態を示す斜視図である。
【図６】第１実施形態に係る便器本体に取り付けられる機能部品のケースカバーを取り外した状態を示す平面図である。
【図７】第１実施形態に係る便器本体の各リム導水路を下側から見た断面図である。
【図８】第１実施形態に係る水洗大便器を後方から見た状態を概略的に示す図である。
【図９】第１実施形態に係るノズルに洗浄水を給水するための給水路の構成を示すブロック図である。
【図１０】第２実施形態に係る便器本体のリム導水路を下側から見た断面図である。
【図１１】第２実施形態に係る便器本体の平面断面図である。
【図１２】第３実施形態に係る便器本体のリム導水路を下側から見た断面図である。
【図１３】第３実施形態に係る便器本体の平面断面図である。
【発明を実施するための形態】
【００１４】
以下、各実施形態では、同一の構成要素に同一の符号を付し、重複する説明を省略する。また、各図面では、説明の便宜のため、構成要素の一部を適宜省略する。
【００１５】
［第１の実施の形態］
図１は第１実施形態に係る水洗大便器１０の側面部分断面図である。以下の説明では、水洗大便器１０の便座（図示せず）に通常の姿勢で座る人の向きを基準として前後左右を表す。水洗大便器１０は便鉢部１２を有する便器本体１４を備える。便鉢部１２は便器本体１４の前部に設けられ、その下方に形成される入口１６を通して排水路としてのトラップ部１８に連通される。
【００１６】
図２は便器本体１４から後述する機能部品５２を取り外した状態を示す斜視図である。便器本体１４の上面部２０は、図１、図２に示すように、便鉢部１２の上端縁部２２から前方、両側方に広がるリム部２４と、便鉢部１２の後方にてリム部２４に連なるように設けられる台座部２６と、を有する。
【００１７】
図３は便器本体１４の平面断面図である。本図は図１のＡ−Ａ線断面図でもある。便鉢部１２の上側内周部２８には、便鉢部１２の左右の一側方（図３では右側）寄り、かつ、前寄りの位置に第１吐水口３０が形成される。また、便鉢部１２の上側内周部２８には、便鉢部１２の左右の他側方（図３では左側）寄り、かつ、後寄りの位置に第２吐水口３２が形成される。
【００１８】
便鉢部１２の上側内周部２８には、各吐水口３０、３２から吐き出される洗浄水を旋回させるように導く第１リム導水路３４、第２リム導水路３６が設けられる。本図ではリム導水路３４、３６の後述する棚部３８と、棚部３８の内周縁部から内側に連なる汚物受け部３９との境界位置を一点鎖線で示す。
【００１９】
第１リム導水路３４は、便鉢部１２の上側内周部２８の周方向に沿って、第１吐水口３０から平面視で反時計方向に第２吐水口３２の近傍まで延びるように形成される。第２リム導水路３６は、便鉢部１２の上側内周部２８の周方向に沿って、第２吐水口３２から平面視で反時計方向に第１吐水口３０の近傍まで延びるように形成される。
【００２０】
各リム導水路３４、３６は、図１に示すように、上側に臨むように内側に延び出る棚部３８と、棚部３８の外縁部から立ち上がる立壁部４０とにより構成される。また、第１リム導水路３４は、立壁部４０の上端部から内側に張り出す返し部４２によっても構成される。第２リム導水路３６も、図２に示すように、立壁部４０の上端部から内側に張り出す返し部４２によって一部が構成される。
【００２１】
便器本体１４には、図３に示すように、第１吐水口３０に連なる中空構造の第１通水路４４が第１吐水口３０の上流側に形成される。便器本体１４には、第２吐水口３２に連なる中空構造の第２通水路４６が第２吐水口３２の上流側に形成される。各通水路４４、４６には洗浄水供給装置４８から方向Ｐ１に供給される洗浄水が通り、各通水路４４、４６を通る洗浄水は各吐水口３０、３２から便鉢部１２内に方向Ｐ２に吐水される。なお、第２通水路４６は、図２に示すように、第２吐水口３２の直前にある下流端部に上側に開放する開放口５０が形成される。
【００２２】
図４は図１の部分拡大図である。水洗大便器１０は、便鉢部１２の後方にて便器本体１４の台座部２６にねじ等の固定構造により取り付けられる機能部品５２を更に備える。機能部品５２は、局部洗浄、温風乾燥、脱臭等の別々の機能を有する複数の内部機器をユニット化したものである。
【００２３】
機能部品５２は、複数の内部機器を収容するケーシング５４を備える。ケーシング５４は、便器本体１４の台座部２６に載せられるベースプレート５６と、ベースプレート５６上に搭載される複数の内部機器を覆うようにベースプレート５６に組み付けられるケースカバー５８と、を備える。ケーシング５４は、箱状の本体部６０と、本体部６０の前部の下側部分から斜め下側に突き出る突出部６２と、を有する。本体部６０と突出部６２の内側には連続した内部空間が形成される。
【００２４】
図５は便器本体１４に取り付けられる機能部品５２のケースカバー５８を取り外した状態を示す斜視図であり、図６はその平面図である。複数の内部機器には、局部洗浄時に駆動されるノズルユニット６４と、温風乾燥時に駆動される温風乾燥ユニット６６と、便鉢部１２内で発生する臭気を脱臭するための脱臭ユニット６８と、が含まれる。
【００２５】
ノズルユニット６４は、左右に並べて配置される一対の局部洗浄ノズル７０（以下、単にノズル７０という）を有する。一対のノズル７０は人体の局部を洗浄水により洗浄するためのものであり、一方が肛門洗浄用ノズル、他方がビデ用ノズルとなる。各ノズル７０は、図４に示すように、円柱状をなし、前方に向かって下方に傾斜するようにベースプレート５６上に搭載される。各ノズル７０は、それぞれ下方に位置する先端部がケーシング５４の突出部６２内に収容され、その先端部には洗浄水を吐き出す吐出孔７２が設けられる。各ノズル７０はラックアンドピニオン等の直動機構７４により軸線方向の両側に駆動される。
【００２６】
図７は便器本体１４の各リム導水路３４、３６を下側から見た断面図である。本図は図１のＡ−Ａ線切断面を下側から見た図でもある。ケーシング５４の突出部６２の前面には、図４、図７に示すように、左右に長く、斜め下側に開放する開口部７６が設けられ、ケースカバー５８の突出部６２には開口部７６を開閉するシャッタ７８が設けられる。シャッタ７８は左右に長い板状をなす。シャッタ７８は、ケースカバー５８に回動軸（図示せず）を介して回動可能に連結され、開口部７６を閉じる閉位置に向けてスプリング等の付勢部材（図示せず）により付勢される。
【００２７】
各ノズル７０は、直動機構７４により軸線方向の前方に駆動されると、シャッタ７８の内側面に先端部があたり、シャッタ７８を回動軸周りの方向Ｐ３に回動させて開口部７６を開きつつ、開口部７６から突き出るように方向Ｐ４に前進する（図４の二点鎖線参照）。各ノズル７０は、開口部７６から前方に突き出た状態から、直動機構７４により軸線方向の後方に駆動されると開口部７６から後退してケーシング５４内に収まり、これに伴いシャッタ７８が付勢部材により開口部７６を閉じる位置まで変位する。このように、各ノズル７０は開口部７６から前方に進退可能である。
【００２８】
温風乾燥ユニット６６は、図５、図６に示すように、ノズルユニット６４より一側方（図中右側）にてベースプレート５６上に搭載される温風ダクト８０を備える。温風ダクト８０の下流端部は前方に向かって下方に傾斜するように配置される。温風ダクト８０は、その下方に位置する先端部がケーシング５４の突出部６２内に収容され、その先端部には便鉢部１２内に臨む吹出口８２が設けられる。温風乾燥ユニット６６では、第１送風機（図示せず）の駆動により温風ダクト８０内に外気が導入され、その外気が第１ヒータ（図示せず）により温められ、第１ヒータを経た温風が吹出口８２から前方に吹き出される。
【００２９】
脱臭ユニット６８は、ノズルユニット６４より他側方（図中左側）にてベースプレート５６上に搭載される脱臭ダクト８４を備える。脱臭ダクト８４の上流端部は前方に向かって下方に傾斜するように配置される。脱臭ダクト８４は、その下方に位置する先端部がケーシング５４の突出部６２内に収容される。ケーシング５４のベースプレート５６には便鉢部１２内に臨む吸気口８６（図７も参照）が形成され、脱臭ダクト８４は吸気口８６を通して便鉢部１２内に連通される。脱臭ユニット６８では、第２送風機（図示せず）の駆動により脱臭ダクト８４内に吸気口８６から便鉢部１２内の空気が導入され、その空気に含まれる臭気が脱臭カートリッジ（図示せず）により取り除かれる。脱臭カートリッジを経た空気は、排気ダクト（図示せず）を介して排気口（図示せず）から便鉢部１２の外側に排気される。
【００３０】
ここで、便器本体１４の上面部２０の台座部２６は、図２、図４に示すように、機能部品５２のケーシング５４と上下に対向する部分に設けられる切欠部９０を有する。切欠部９０は、ケーシング５４の左右方向の中間部と対向する部分に設けられる。切欠部９０は、切欠部９０に対して左右両側に隣接して連なる上面部２０の他の部分９２（以下、隣接部分９２という）より下側に落ち込むように形成される。この隣接部分９２の上面はリム部２４の上面と平坦に連なるように形成される。切欠部９０は、正面視において、隣接部分９２より下側に凹状をなすように形成される。切欠部９０は、上面部２０の後端縁から便鉢部１２の後側領域に亘る範囲に連続する溝状に設けられる。切欠部９０には便鉢部１２に臨む開口９４（図２参照）が設けられる。
【００３１】
図８は水洗大便器１０を後方から見た状態を概略的に示す図である。
切欠部９０は、底側の平面状の底面部９０ａと、底面部９０ａから立ち上がり、隣接部分９２に連なる曲面状の側面部９０ｂと、を有する。なお、底面部９０ａは曲面状に形成されてもよく、この場合に側面部９０ｂと滑らかに連なるように形成されてもよい。
【００３２】
ケーシング５４の下面部には、図４、図８に示すように、左右方向の中間部に下側に突き出る嵌合部９６が形成される。嵌合部９６はケーシング５４の前後に延びるように形成され、その前側部分９６ａは後側部分９６ｂより突出量が大きくなる。嵌合部９６は、切欠部９０上においてリム部２４の上面に対して下側に位置するように配置される。このとき、嵌合部９６の前側部分９６ａは切欠部９０内に嵌め合わされる。また、嵌合部９６の後側部分９６ｂは切欠部９０内に配置される。なお、嵌合部９６は後側部分９６ｂの突出量が前側部分９６ａと同じになるようにしてもよい。
【００３３】
機能部品５２は、図４に示すように、切欠部９０上から開口９４（図２も参照）を通して便鉢部１２内に一部である突出部６２がはみ出るように設けられる。この機能部品５２のはみ出し部９８では、ケーシング５４内において、一対のノズル７０の先端部、脱臭ダクト８４の先端部（図６参照）、温風ダクト８０の先端部が収容される。
【００３４】
はみ出し部９８の底面には、図４、図７に示すように、導水路形成面１００が設けられる。導水路形成面１００は左右方向に長く延び、水平面に対して平行となるように平坦に形成される。このとき、機能部品５２のケーシング５４の開口部７６は、導水路形成面１００より前方に位置する。
【００３５】
導水路形成面１００の左右の一側端部１００ａ（図７の右端部）は第２通水路４６の開放口５０（図２も参照）を上側から閉塞し、第２通水路４６の上面となる。導水路形成面１００の一側端部１００ａは第２通水路４６の上面と左右に隣り合い、それぞれ面一となるように設けられる。導水路形成面１００の一側端部１００ａの一部は、第２通水路４６の下流端部と便鉢部１２との間を隔てる隔壁部１０２の上側に載せられ、その隔壁部１０２より前方に後述する延出面１０４が設けられる。
【００３６】
導水路形成面１００の一側端部１００ａ以外の残部、つまり、その左右の中間部及び他側端部１００ｂは、第２リム導水路３６の棚部３８に対向して設けられ、第２リム導水路３６の上面となる。導水路形成面１００の他側端部１００ｂは、第２リム導水路３６の返し部４２の下面と左右に隣り合うように設けられる。第２リム導水路３６の返し部４２の下面４２ａ、つまり、便鉢部１２における第２リム導水路３６の上面と、導水路形成面１００の中間部及び他側端部１００ｂとは面一となるように設けられる。ここでの面一とは、便鉢部１２における第２リム導水路３６の上面と導水路形成面１００の中間部及び他側端部１００ｂの高さ位置が揃うように設けられることを意味する。
【００３７】
はみ出し部９８の底面には、導水路形成面１００の前方にて斜め下方に延び出る延出面１０４が形成される。延出面１０４は導水路形成面１００と同様に左右方向に長く延び、左右方向両端部から中間部に向かうにつれて下側に凸となるように緩やかに湾曲して形成される。
【００３８】
機能部品５２と便器本体１４の間には図４、図８に示すように、第１シール部材１０６が介装される。第１シール部材１０６はゴム等の弾性体により構成される。第１シール部材１０６は、便鉢部１２内から開口９４を通して切欠部９０の奥側への漏水を規制するために設けられる。第１シール部材１０６はケーシング５４の嵌合部９６と便器本体１４の切欠部９０との間に介装される第１部分１０６ａと、ケーシング５４の下面部において嵌合部９６の左右両側の部分と便器本体１４との間に介装される第２部分１０６ｂと、を有する。図２では第１シール部材１０６の配置位置を二点鎖線で示す。
【００３９】
また、図７に示すように、機能部品５２のはみ出し部９８の側面部と、これに左右に対向する便器本体１４の一部との間には第２シール部材１０８が介装される。第２シール部材１０８もゴム等の弾性体により構成される。第２シール部材１０８は、これらの間から上側への漏水を規制するために設けられる。
【００４０】
以上の水洗大便器１０の作用効果を説明する。水洗大便器１０では、図４に示すように、切欠部９０上においてリム部２４の上面に対して下側に機能部品５２の一部である嵌合部９６が位置するように配置される。よって、機能部品５２の内部機器の一部をリム部２４の上面に対して下側に位置するように配置でき、リム部２４に対する内部機器の高さを抑え、ひいては、リム部２４に対する機能部品５２の高さＨ（図４参照）を抑えられる。ここでの内部機器の一部とは、ノズルユニット６４のノズル７０、温風乾燥ユニット６６の温風ダクト８０（図６参照）、脱臭ユニット６８の脱臭ダクト８４（図６参照）である。
【００４１】
また、機能部品５２の一部が切欠部９０上から便鉢部１２内にはみ出るように設けられ、そのはみ出し部９８の底面に導水路形成面１００が設けられる。よって、機能部品５２の開口部７６が導水路形成面１００より前方に位置することになり、機能部品５２の開口部７６を開閉するシャッタ７８により導水路形成面１００を形成するよりも、開口部７６からケーシング５４内への漏水を抑え易くなる。
【００４２】
また、水洗大便器１０では、機能部品５２のはみ出し部９８の底面に導水路形成面１００の前方にて下方に延び出る延出面１０４が形成される。よって、第２リム導水路３６を洗浄水が流れるとき、飛沫の前方への飛散が延出面１０４により遮られ、その広い範囲への飛散を抑えられる。
【００４３】
また、図７に示すように、便鉢部１２における第２リム導水路３６の上面となる返し部４２の下面４２ａと、機能部品５２の導水路形成面１００の中間部及び他側端部１００ｂとが面一となるように設けられるため、第２リム導水路３６の上面と導水路形成面１００の間で凹凸が生じ難くなる。よって、第２リム導水路３６を流れる洗浄水が第２リム導水路３６の上面と導水路形成面１００の間の凹凸により抵抗を受けずに淀みなく流れ易くなる。
【００４４】
なお、本実施形態に係る水洗大便器１０は、機能部品５２内で生じる捨て水の排出方法の点でも特徴を有する。
【００４５】
図９は各ノズル７０に洗浄水を給水するための給水路１０９の構成を示すブロック図である。給水路１０９は、上水路となる配水管１１０と複数のノズル７０を接続する。給水路１０９は直列に並ぶ一次側水路１１２と二次側水路１１４を有する。一次側水路１１２の途中には、止水栓１１６の他に、通電により下流側への通水及び止水を選択的に切り替える電磁弁１１８が設けられる。二次側水路１１４の途中には上流側の水を汲み出して下流側に送り出すポンプ１２０と、ポンプ１２０より上流側に設けられ、ポンプ１２０から汲み出される水を加熱する第２ヒータ１２２と、ポンプ１２０から導出された水の下流側への供給先を複数のノズル７０の中から選択的に切り替える切替弁１２４とを備える。
【００４６】
機能部品５２は、各水路１１２、１１４を接続するエアギャップ装置１２６を有する。エアギャップ装置１２６は、給水路１０９の途中に設けられることになる。エアギャップ装置１２６は、ノズル７０の吐出孔７２から二次側水路１１４中に汚水が浸入し、一次側水路１１２の配水管１１０側に負圧が生じた場合に、二次側水路１１４から一次側水路１１２への汚水の逆流を防ぐために設けられる。
【００４７】
エアギャップ装置１２６は、水を内部に貯溜する開放式タンク１２８（以下、単にタンク１２８という）と、一次側水路１１２から水を流入させる流入口１３０と、タンク１２８内の水を二次側水路１１４に流出させる流出口１３２と、を有する。タンク１２８では給水路１０９を流れる水が経由することになる。エアギャップ装置１２６のタンク１２８の側面にはオーバーフロー口１３４が設けられ、タンク１２８にはオーバーフロー口１３４の下流側にてオーバーフロー口１３４を通してタンク１２８内に連通される排水通路１３６が接続される。排水通路１３６はオーバーフロー口１３４と後述する排水出口１４２を接続するゴムホース等により構成される。オーバーフロー口１３４の下端縁は溢れ縁１３８となる。
【００４８】
タンク１２８内の貯溜水が溢れ縁１３８を超える水位（以下、溢れ水位という）になると、タンク１２８から溢れる捨て水がオーバーフロー口１３４と排水通路１３６を通して排水される。タンク１２８内の貯溜水は溢れ水位以下の水位に保たれ、その貯溜水の水面と流入口１３０との間には隙間空間としてのエアギャップ１４０が形成される。このエアギャップ１４０により、二次側水路１１４からタンク１２８を通して一次側水路１１２への逆流が防がれる。
【００４９】
ここで、図７に示すように、機能部品５２のはみ出し部９８の底面には、排水通路１３６から捨て水を排出するための排水出口１４２が形成される。図３では排水出口１４２の真下の領域を一点鎖線Ｓ１で示す。排水出口１４２は、図３、図７に示すように、ケーシング５４の延出面１０４において、第２リム導水路３６の途中位置の棚部３８上に形成される。排水出口１４２からは第２リム導水路３６の棚部３８に向けて下方に捨て水が排水される。これにより、捨て水が第２リム導水路３６に着水したときに生じる飛沫の飛散を機能部品５２により遮り易くなり、捨て水を便鉢部１２の汚物受け部３９に排出するよりも、飛沫の広い範囲への飛散を抑えられる。
【００５０】
なお、本例では、排水出口１４２から排出する捨て水がエアギャップ装置１２６に用いられるタンク１２８内から溢れるものである例を説明した。このタンク１２８は、ノズル７０等の吐水部品に給水するための給水路１０９を流れる水が経由するものであれば、エアギャップ装置１２６に用いられなくともよい。この場合でも、給水路１０９内の水圧が増大したとき、タンク１２８内から溢れる水が排水通路１３６を通して排水出口１４２から排出され、その水圧の過度の増大を抑えられる。この場合でも、機能部品５２は、タンク１２８の他に、タンク１２８内から溢れる捨て水を排水する排水通路１３６を有する構成となる。
【００５１】
［第２の実施の形態］
図１０は第２実施形態に係る便器本体１４の各リム導水路３４、３６を下側から見た断面図であり、図１１は便器本体１４の平面断面図である。図３、図７の例では排水出口１４２が第２リム導水路３６の棚部３８上に形成される例を説明した。図１１では排水出口１４２の真下の領域を一点鎖線Ｓ２で示す。このように、本実施形態に係る排水出口１４２は、ケーシング５４の延出面１０４において、第１リム導水路３４の下流端部での棚部３８上に形成される。排水出口１４２からは第１リム導水路３４の棚部３８に向けて下方に捨て水が排出される。
【００５２】
これにより、図３、図７の例での、第２吐水口３２から第２リム導水路３６上への捨て水の排水箇所までの経路長よりも、本実施形態での第１吐水口３０から第１リム導水路３４上への捨て水の排出箇所までの経路長が長くなる。つまり、図３の例では、第２リム導水路３６の途中位置に排水出口１４２が形成され、本実施形態では、第２リム導水路３６より経路長が長い第１リム導水路３４の下流端部に排水出口１４２が形成される。よって、各吐水口３０、３２から洗浄水を吐水したとき、排水出口１４２の下側を通る洗浄水の水勢が図３、図７の例より弱くなり、排水出口１４２を通して洗浄水がケーシング５４内に逆流し難くなる。
【００５３】
［第３の実施の形態］
図１２は第３実施形態に係る便器本体１４の各リム導水路３４、３６を下側から見た断面図であり、図１３は便器本体１４の平面断面図である。図１３では排水出口１４２の真下の領域を一点鎖線Ｓ３で示す。このように、本実施形態に係る排水出口１４２は、ケーシング５４の導水路形成面１００において、各リム導水路３４、３６の棚部３８上ではなく、第２通水路４６の下面上に形成される。排水出口１４２からは第２通水路４６に向けて下方に捨て水が排出される。
【００５４】
これにより、捨て水が第２通水路４６に着水したときに生じる飛沫が便鉢部１２内に飛沫し難くなり、各リム導水路３４、３６に捨て水を排出するよりも、飛沫の広い範囲への飛散を抑えられる。なお、第２通水路４６ではなく第１通水路４４に排水出口１４２が形成されてもよい。
【００５５】
以上、実施の形態に基づき本発明を説明したが、実施の形態は、本発明の原理、応用を示すにすぎない。また、実施の形態には、請求の範囲に規定された本発明の思想を逸脱しない範囲において、多くの変形例や配置の変更が可能である。
【００５６】
切欠部９０は、機能部品５２の一部であるケーシング５４の左右方向の中間部と対向する部分に設けられる例を説明したが、機能部品５２の全部と上下に対向する部分に設けられてもよい。この場合、切欠部９０は、前後に隣接して連なる上面部２０の他の部分としてのリム部２４より下側に落ち込むように形成される。いずれにしても、切欠部９０は、機能部品５２の少なくとも一部と上下に対向する部分に設けられ、隣接して連なる上面部の他の部分より下側に落ち込むように形成されていればよい。
【００５７】
導水路形成面１００は、水平面に対して平行となるように平坦に形成される例を説明したが、水平面に対して傾斜していてもよいし、平坦ではなく湾曲等して形成されていてもよい。また、延出面１０４は、導水路形成面１００の前方にて斜め下方に延び出る例を説明したが、鉛直下方に延び出ていてもよい。
【００５８】
また、ケーシング５４は、図示はしないが、平面視において、便鉢部１２の上端縁部２２（図１参照）とケーシング５４（図１参照）の境目が角部がなく滑らかに連なるように形成されてもよい。このとき、便鉢部１２の上端縁部２２とケーシング５４を合わせた輪郭は、楕円状の他、角部が湾曲する四角形状等の多角形状をなすように形成されてもよい。
【符号の説明】
【００５９】
１０…水洗大便器、１２…便鉢部、１４…便器本体、２０…上面部、２２…上端縁部、２４…リム部、２８…上側内周部、３０…吐水口、３４…リム導水路、４４…通水路、４８…洗浄水供給装置、５２…機能部品、７０…局部洗浄ノズル、９０…切欠部、９８…はみ出し部、１００…導水路形成面、１０４…延出面、１０９…給水路、１４２…排水出口。
【図１】
0006348053.tif 000002
【図２】
0006348053.tif 000003
【図３】
0006348053.tif 000004
【図４】
0006348053.tif 000005
【図５】
0006348053.tif 000006
【図６】
0006348053.tif 000007
【図７】
0006348053.tif 000008
【図８】
0006348053.tif 000009
【図９】
0006348053.tif 000010
【図１０】
0006348053.tif 000011
【図１１】
0006348053.tif 000012
【図１２】
0006348053.tif 000013
【図１３】
0006348053.tif 000014